(57)【特許請求の範囲】
【請求項１】
揚送機本体と、
前記揚送機本体の上部に配置された上ローラと、
前記揚送機本体の下部に配置された下ローラと、
前記上ローラと前記下ローラとに巻掛けられた揚送ベルトと、
前記上ローラを回転可能に軸支するシャフトと、
前記シャフトの両端部を挿通させたまま上下動可能とするために前記揚送機本体に形成された一対の長孔と、
前記揚送機本体上端に、着脱自在に設けられたケースと、
前記上ローラに巻き掛けられた揚送ベルトの上方を覆うように、かつ、前記ケースに対して着脱可能に構成された上シュートと、
前記上シュートの前記揚送ベルトと対向する面に設けられた前記揚送ベルトとの間にパチンコ玉を挟んで送出可能とするための柔軟弾性体と、
前記シャフトを前記両長孔に沿ってスライドさせるために前記シャフトの両端部に設けられた一対のスライド手段と、を備え、
前記一対のスライド手段が、締上げ治具によってスライド量が一定となるように駆動されることによって前記シャフトが偏心せずにスライドするパチンコ玉揚送機であって、
前記スライド手段の各々が、前記揚送機本体から突設された支持板と、前記支持板に穿設された挿通孔と、前記挿通孔に挿通されたボルトと、前記支持板の上面に支持された前記ボルトの頭部と、前記ボルトのねじ部を挿通するために前記シャフトに穿設された貫通孔と、前記貫通孔に挿通された前記ボルトのねじ部と前記シャフトの下側で螺合して前記シャフトを支えるために前記シャフトに固着されたナットと、を備え、
前記締上げ治具が、上面と下面とを有するギアボックスと、前記ギアボックス内に配された一対の旋回ギアと、前記旋回ギアの各々と噛み合うように前記旋回ギア間に配された操作ギアと、を備え、前記旋回ギアの軸部の各々が前記上シュートを取り外した状態で前記ボルトの頭部の各々と前記下面側から解除可能に係合するボルト孔を備え、前記操作ギアの軸部が旋回用工具と前記上面側から解除可能に係合させるための係合部を備えている
ことを特徴とするパチンコ玉揚送機。
【発明の詳細な説明】
【０００１】
【産業上の利用分野】
本発明は、パチンコ玉を揚送するためのパチンコ玉揚送機に関する。
【０００２】
【従来技術】
パチンコホールには、パチンコ機が複数設置された島が並列配置されており、この島内で、玉計数機に投入されたパチンコ玉や各パチンコ機のアウト玉が循環されるようになっている。
【０００３】
一方、島の中央部には、パチンコ玉揚送機が配置されている。このパチンコ玉揚送機の本体の上下には、ローラがそれぞれ軸支されており、このローラの間には、揚送ベルトが上下方向に巻き掛けられている。また、この揚送ベルトと対面するように、研磨布が貼られたカバーが配置されている。これによって、島の下部を流下し下シュートから送られてきたパチンコ玉が、研磨布と搬送ベルトによって挟まれ研磨布で研磨されながら、島の上部へ揚送される。
【０００４】
ところで、揚送ベルト及び研磨布は消耗すると揚送能力が低下するため、定期的に交換する必要がある。ここで、揚送ベルトの交換は、先ず、上ローラを下ローラに向かってスライドさせ、揚送ベルトを弛めて取り外し、次に、新しい揚送ベルトを巻き掛け、上ローラを下ローラから離れる方向へスライドさせ、揚送ベルトに一定の張度を与えるようになっている。
【０００５】
このような交換作業において、揚送ベルトに張力を付与するためには、上ローラの両端から突設した軸体を、作業員の感覚で上ローラが偏心しなようにスライドさせなければならない。
【０００６】
【発明が解決しようとする課題】
しかしながら、このように、作業員の感覚に頼ることはメンテナンスの上において好ましくない。また、上ローラが偏心してセットされた場合、上シュートに貼られた柔軟弾性体と揚送ベルトとの間隔が上ローラの軸方向において一定にならず、安定したパチンコ玉の揚送が確保されず、柔軟弾性体及び揚送ベルトに局部的な磨耗が生じ、交換サイクルが短くなる。
【０００７】
本発明は係る事実を考慮して、機構的に上ローラを偏心させずにスライドさせることができるパチンコ玉揚送機を提供することを目的とする。
【０００８】
【課題を解決するための手段】
請求項１に記載のパチンコ玉揚送機は、揚送機本体と、前記揚送機本体の上部に配置された上ローラと、前記揚送機本体の下部に配置された下ローラと、前記上ローラと前記下ローラとに巻掛けられた揚送ベルトと、前記上ローラを回転可能に軸支するシャフトと、前記シャフトの両端部を挿通させたまま上下動可能とするために前記揚送機本体に形成された一対の長孔と、前記揚送機本体上端に、着脱自在に設けられたケースと、前記上ローラに巻き掛けられた揚送ベルトの上方を覆うように、かつ、前記ケースに対して着脱可能に構成された上シュートと、前記上シュートの前記揚送ベルトと対向する面に設けられた前記揚送ベルトとの間にパチンコ玉を挟んで送出可能とするための柔軟弾性体と、前記シャフトを前記両長孔に沿ってスライドさせるために前記シャフトの両端部に設けられた一対のスライド手段と、を備え、前記一対のスライド手段が、締上げ治具によってスライド量が一定となるように駆動されることによって前記シャフトが偏心せずにスライドするパチンコ玉揚送機であって、前記スライド手段の各々が、前記揚送機本体から突設された支持板と、前記支持板に穿設された挿通孔と、前記挿通孔に挿通されたボルトと、前記支持板の上面に支持された前記ボルトの頭部と、前記ボルトのねじ部を挿通するために前記シャフトに穿設された貫通孔と、前記貫通孔に挿通された前記ボルトのねじ部と前記シャフトの下側で螺合して前記シャフトを支えるために前記シャフトに固着されたナットと、を備え、前記締上げ治具が、上面と下面とを有するギアボックスと、前記ギアボックス内に配された一対の旋回ギアと、前記旋回ギアの各々と噛み合うように前記旋回ギア間に配された操作ギアと、を備え、前記旋回ギアの軸部の各々が前記上シュートを取り外した状態で前記ボルトの頭部の各々と前記下面側から解除可能に係合するボルト孔を備え、前記操作ギアの軸部が旋回用工具と前記上面側から解除可能に係合させるための係合部を備えていることを特徴とする。
【０００９】
【作用】
請求項１に記載のパチンコ玉揚送機では、揚送機本体に配設されベルトが巻掛けられた上ローラがシャフトで回転可能に軸支されている。このシャフトは、揚送機本体に形成された長孔へ挿通され長孔内を移動可能となっている。
【００１０】
また、揚送機本体から突設された支持板に挿通孔が穿設されている。この挿通孔には、ボルトが挿通され、ボルトの頭部が支持板の上面に支持された状態となっている。また、ボルトのねじ部は、シャフトの両端に穿設された貫通孔へ貫通され、シャフト下側のナットと螺合して、シャフトを支持している。
【００１１】
これによって、頭部を旋回させると、ボルトのねじ部がナットへねじ込まれ、あるいは、ねじ抜かれ、シャフトを長孔に沿ってスライドさせることにより、上ローラがスライドする。
【００１２】
締上げ治具には一対の旋回ギアが設けられ、これらの旋回ギアの軸部に設けられたボルト孔がボルト頭部と解除可能に係合する。この一対の旋回ギアの間には、操作ギアが配設されており、旋回ギアと噛み合っている。従って、操作ギアを旋回させると、旋回ギアがそれぞれ同じ回転方向へ同じ量だけ旋回する。この結果、ボルトのねじ部とナットの螺合量が一定となり、上ローラを偏心させることなく、スライドさせることができる。
【００１３】
【実施例】
図１及び図２に基づいて、本実施例に係るパチンコ玉揚送機について説明する。パチンコ玉揚送機１０は、揚送機本体１２の上部に上ローラ１４（図３参照）が、下部に下ローラ１６が軸支されている。下ローラ１６は、電動モータ１８によって駆動力を伝達され回転するようになっている。
【００１４】
これら上ローラ１４と下ローラ１６との間には、揚送ベルト２０が巻き掛けられている。下ローラ１６の下側には、湾曲した下シュート２２が配設されている。この下シュート２２の揚送ベルト２０と対向する面には、図示しない柔軟弾性体が貼られており、受け入部２２Ａから投入されたパチンコ玉を、柔軟弾性体と揚送ベルト２０との間に挟んで揚送するようになっている。
【００１５】
この下シュート２２側から揚送されたパチンコ玉は、揚送ベルト２０の直線部分へ至る。この揚送ベルト２０の直線部分は、下直送路カバー２４及び上直送路カバー２６に覆われている。下直送路カバー２４の揚送ベルト２０と対向する面には、パチンコ玉を研磨する研磨マット２８が配置され、両端が下直送路カバー２４の外側に折り返すような恰好で取り付けられている。この研磨マット２８と揚送ベルト２０によってパチンコ玉が揚送されながら研磨される。
【００１６】
一方、上直送路カバー２６の揚送ベルト２０と対向する面には、柔軟弾性体３２が貼られており、柔軟弾性体３２と揚送ベルト２０との間にパチンコ玉を挟み上シュート３０に向かってパチンコ玉を押し上げるようになっている。
【００１７】
上シュート３０は、湾曲され、揚送ベルト２０が巻き掛けられた上ローラ１４の上方を覆うようになっている。この上シュート３０の下部側には、水平方向へ屈曲した爪片３１が突設されている。この爪片３１は、上ローラ１４のケース３４から水平方向へ突出した係止板３６に穿設された係止孔３８に係止されるようになっている。
【００１８】
また、上シュート３０の上部側には、幅方向の端部から上方向に屈曲して形成された係合爪４０が設けられている。この係合爪４０は、爪片３１を係止孔３８へ挿入し、この爪片３１を支点として上シュート３０を上ローラ１４側へ回動させたとき、ケース３４の側面に設けられたバックル４２と対応するようになっている。このバックル４２で係合爪４０を止めることによって、工具なしで、上シュート３０を脱着させることができる。
【００１９】
さらに、この上シュート３０の揚送ベルト２０と対向する面には、図示しない柔軟弾性体が貼られており、柔軟弾性体と揚送ベルト２０との間にパチンコ玉を挟み、島の上部へパチンコ玉を送り出すようになっている。
【００２０】
一方、図３及び図４に示すように、揚送ベルト２０が巻き掛けられた上ローラ１４は、図示しないベアリングを介してシャフト４４に回転可能に軸支されている。このシャフト４４の両端は、軸支部材４６の側面に形成され上下に長い長孔４８へスライド可能に挿通されている。
【００２１】
この長孔４８の両側には、ガイド板５０が対面して立設されている。このガイド板５０の間には、軸支部材４６の側面と摺動するようにスライド板５２が挟まれている。スライド板５２の上部には、貫通孔５４が穿設され、シャフト４４が挿通されている。
【００２２】
一方、軸支部材４６の上部からは、支持板５６が張り出している。この支持板５６には、挿通孔５８が穿設されており、スタッドボルト６０が挿通されている。また、シャフト４４の両端部には、上下方向へ貫通する貫通孔６２が穿設されている。この貫通孔６２の孔周縁の下側には、凹部６４が形成され、ナット６６が回転不能に嵌め込まれている。
【００２３】
以上の構成によって、挿通孔５８へスタッドボルト６０を挿通させ、スタッドボルト６０の頭部６０Ａが支持板５６に支持された状態で、ねじ部６０Ｂをナット６６と螺合させれば、シャフト４４がスタッドボルト６０に支持された状態となる。
【００２４】
また、図１に示すように、スライド板５２の下部には、上下方向に長状のスライド孔６８が形成されている。このスライド孔６８には、穴ボルト７０が挿通され、スライド板５２を所望の位置で揚送機本体１２に固定できるようになっている。
【００２５】
一方、図４及び図５に示すように、スタッドボルト６０は締上げ治具７２で旋回されるようになっている。この締上げ治具７２は、長箱状のギアボックス７４を備えており、このギアボックス７４の内部には、旋回ギア７６が所定の間隔を置いて回転可能に軸支されている。この旋回ギア７６の軸部の間隔は、スタッドボルト６０の頭部６０Ａの間隔と同一なるように設定されている。そして、軸部に形成されたボルト孔７８が頭部６０Ａと係合可能なサイズとされ、ギアボックス７４から下方へ突出されている。
【００２６】
また、旋回ギア７６の間には、操作ギア８０が配設され、両側の旋回ギア７６と噛み合っている。これにより、例えば、操作ギア８０を反時計方向へ回すと、両側の旋回ギア７６が時計方向へ旋回する。さらに、操作ギア８０の軸部には、工具としてのラチェットが係合する係合部８２がギアボックス７４から突設されている。
【００２７】
次に、本実施例の作用を説明する。先ず、揚送ベルト２０を外すときは、図１に示す、下シュート２２、下直送路カバー２４、上直送路カバー２６、ベルトカバー８４、上シュート３０を揚送機本体１２から取り外し、さらに、図示しないボルトを外し、ケース３４を揚送機本体１２の上部から取り外す。
【００２８】
次に、穴ボルト７０を弛めスライド板５２をスライド可能とする。ここで、締上げ治具７２の旋回ギア７６のボルト孔７８をスタッドボルト６０の頭部６０Ａに係合させ、ラチェットで操作ギア８０を時計方向へ回す。これによって、旋回ギア７６が反時計方向へ旋回し、シャフト４４を下方へ押し下げ、揚送ベルト２０の張力を弛める。
【００２９】
次に、下ローラ１６を軸支する図示しない軸板を取り外し、弛くなった揚送ベルト２０を上ローラ１４及び下ローラ１６から抜き取る。
【００３０】
また、新しい揚送ベルト２０を取り付けるには、上記の方法を逆の手順で行えばよいのであるが、いずれにしても、揚送ベルト２０の張力を弱めるときも、また、揚送ベルト２０に張力を与えるときも、図４に示すように上シュート３０（図２参照）を取り外した状態で使用する締上げ治具７２によって左右のスタッドボルト６０とナット６６との螺合量が常に同じに保たれるので、上ローラ１４が偏心してスライドすることがない。このため、上シュート３０に貼られた柔軟弾性体と揚送ベルト２０との間隔が上ローラ１４の軸方向において一定になり、安定したパチンコ玉の揚送が確保され、また、柔軟弾性体及び揚送ベルト２０に局部的な磨耗が生じないので、寿命が長くなる。
【００３１】
【発明の効果】
本発明は上記構成としたので、上ローラが偏心してスライドすることがなく、上シュートに貼られた柔軟弾性体と揚送ベルトとの間隔が上下のローラの軸方向において一定となり、安定したパチンコ玉の揚送が確保されると共に、柔軟弾性体及び揚送ベルトに局部的な磨耗が生じない。
【図面の簡単な説明】
【図１】本実施例に係るパチンコ玉揚送機を示す斜視図である。
【図２】パチンコ玉揚送機の上シュートの取付構造を示した分解斜視図である。
【図３】パチンコ玉揚送機の上ローラのスライド構造を示した正面図である。
【図４】締上げ治具とスタッドボルトとの関係を示した分解斜視図である。
【図５】締上げ治具の断面図である。
【符号の説明】
３４      ケース
４４      シャフト（スライド手段）
４６      軸支部材
４８      長孔
５６      支持板
５８      挿通孔
６０      スタッドボルト（スライド手段）
６２      貫通孔
６６      ナット（スライド手段）
７２      締上げ治具
７６      旋回ギア
８０      操作ギア
【図１】
0003574499.tif 000002
【図２】
0003574499.tif 000003
【図３】
0003574499.tif 000004
【図４】
0003574499.tif 000005
【図５】
0003574499.tif 000006